(57)【要約】【課題】  組立作業が簡単でかつ、十分に衝撃を吸収することができ、落下事故などで生じる衝撃力による液晶表示部の故障を防ぐことができる液晶表示装置および情報端末を得ること。【解決手段】  液晶表示部と、この液晶表示部に当接する弾性体と、この弾性体と当接する押圧部材とこの押圧部材が係合する係合部材とを備え、前記押圧部材が前記弾性体を押圧することで、前記弾性体が前記押圧部材と前記係合部材との間に復元力を生じる液晶表示装置。【選択図】図２
2006091710.tif 000002
【特許請求の範囲】
【請求項１】
液晶表示部と、
この液晶表示部に当接する弾性体と、
この弾性体と当接する押圧部材と
この押圧部材が係合する係合部材とを備え、
前記押圧部材が前記弾性体を押圧することで、前記弾性体が前記押圧部材と前記係合部材との間に復元力を生じることを特徴とする液晶表示装置。
【請求項２】
前記押圧部材はねじであることを特徴とする請求項１記載の液晶表示装置。
【請求項３】
前記押圧部材はばねであることを特徴とする請求項１記載の液晶表示装置。
【請求項４】
前記係合部材は、前記液晶表示部を格納する筐体であることを特徴とする液晶表示装置。
【請求項５】
前記液晶表示部の、表裏を為す２面のうち１面のみが前記押圧部材と対向することを特徴とする請求項１記載の液晶表示装置。
【請求項６】
前記弾性体は、前記液晶表示部の所定の４面と当接し得る長さに形成され、前記液晶表示部と前記係合部材の間に挿入される前は一本の帯状の弾性体部品であることを特徴とする請求項１記載の液晶表示装置。
【請求項７】
前記弾性体は、前記液晶表示部の側面４面のうち１面と当接することを特徴とする請求項１記載の液晶表示装置。
【請求項８】
前記弾性体は、前記液晶表示部の所定の１面とこれに対向する前記係合部材の間にある複数の弾性体部品を有する構成であることを特徴とする請求項１記載の液晶表示装置。
【請求項９】
前記弾性体は、前記液晶表示部の少なくとも互いに隣り合う２面に当接することを特徴とする請求項１記載の液晶表示装置。
【請求項１０】
前記液晶表示部は液晶表示面、前記液晶表示面に対して表裏の位置にある背面、前記液晶表示面および前記背面と隣りあう側面、を有し、
前記弾性体は、前記液晶表示部の背面と側面に当接することを特徴とする請求項９記載の液晶表示装置。
【請求項１１】
前記液晶表示部は液晶表示面、前記液晶表示面に対して表裏の位置にある背面、前記液晶表示面および前記背面と隣りあう側面、を有し、
前記弾性体は、前記液晶表示部の側面の４面と背面に当接することを特徴とする請求項９記載の液晶表示装置。
【請求項１２】
前記液晶表示部は液晶表示面、前記液晶表示面に対して表裏の位置にある背面、前記液晶表示面および前記背面と隣りあう側面、を有し、
前記弾性体は、前記液晶表示部の前面と背面と側面に当接することを特徴とする請求項９記載の液晶表示装置。
【請求項１３】
前記弾性体と前記押圧部材との間に中間部材を備えることを特徴とする請求項１記載の液晶表示装置。
【請求項１４】
前記中間部材は、複数の前記押圧部材に押圧されることを特徴とする請求項１３記載の液晶表示装置。
【請求項１５】
前記中間部材は、前記液晶表示部の画像表示面に対して垂直な方向において前記液晶表示部の長さよりも長く形成されており、前記画像表示面に対して垂直な方向における両端部は、前記液晶表示部と前記弾性体との接触面よりも前記液晶表示部の側にあることを特徴とする請求項１３記載の液晶表示装置。
【請求項１６】
前記請求項１乃至前記請求項１５いずれか１項に記載の液晶表示装置を備えることを特徴とする情報端末。
【発明の詳細な説明】
【技術分野】
【０００１】
本発明は液晶表示装置および情報端末に関し、特に、液晶表示装置における液晶表示部の支持方法に関する。
【背景技術】
【０００２】
近年、ノートパソコンなどの情報端末が普及している。これに伴い、情報端末を落下させて液晶表示部を故障させる事故が増えている。
【０００３】
落下事故による液晶表示部の故障を防ぐための手段として、緩衝材を筐体と液晶表示部の間に設ける技術がある。この一例として、液晶表示部と液晶保護台を螺合するねじにヒンジ部も螺合し、落下事故時に本体にかかる衝撃が液晶表示部へ伝わらないようにする技術が開示されている（特許文献１参照）。
【０００４】
また、筐体内に枠状に配設する緩衝材の内寸を、緩衝材に嵌め込む液晶表示部の外寸よりも小さく設計する技術が開示されている。この技術によれば、筐体と液晶表示部の間を隙間なく緩衝材を充満させることができる。さらに、緩衝材の弾性力によって筐体と液晶表示部を強力に嵌合することができる（特許文献２参照）。
【特許文献１】特開２００４−４７２１公報
【特許文献２】特開２００１−１８３６３４公報
【発明の開示】
【発明が解決しようとする課題】
【０００５】
しかし、引用文献１記載の技術は、衝撃がねじを伝わって液晶保護台や液晶表示部を破壊してしまうことがあった。
【０００６】
引用文献２記載の技術においては、衝撃を伝達してしまうねじ等が不要であり引用文献１記載の技術のような問題はないが、筐体と液晶表示部の間に緩衝材を挿入するときに緩衝材に大きな力をかけて圧縮させる必要があり、組立作業が難しいという問題があった。
【課題を解決するための手段】
【０００７】
本発明は、上記問題を解決するために、液晶表示部と、この液晶表示部を支持する弾性体と、この弾性体を前記液晶表示部に押圧する押圧部材と、この押圧部材と係合する係合部材とを備える液晶表示装置、およびこの液晶表示装置を備える情報端末を提供する。
【発明の効果】
【０００８】
本発明によれば、組立作業が簡単でかつ、十分に衝撃を吸収することができ、落下事故などで生じる衝撃力による液晶表示部の故障を防ぐことができる液晶表示装置および情報端末を得ることができる。
【発明を実施するための最良の形態】
【０００９】
（第１の実施の形態）
図１〜図４を用いて、情報端末としてのノートパソコン１の表示ユニット１００の第１の実施の形態について説明する。
【００１０】
図１は、ノートパソコン１の斜視図である。ノートパソコン１は、本体２、ヒンジ３、液晶表示装置としての表示ユニット１００を備える。
【００１１】
本体２はキーボードやクリックボタン等を備える。本体２は、キーボードやクリックボタンを用いてユーザが入力する指示に従って情報を処理し、処理した情報をユーザに視認させるための画像のデータを出力する。
【００１２】
ヒンジ３は表示ユニット１００を回動自在に支持する。
【００１３】
表示ユニット１００は本体２が出力する画像データにしたがって画像を表示する。
【００１４】
図２は液晶画像表示面１０１１に平行な面における表示ユニット１００の断面図である。
【００１５】
表示ユニット１００は、液晶表示部１０１、係合部材としての筐体１０２、弾性体としての側面ゴム１０３、押圧部材としてのねじ１０４を備える。
【００１６】
液晶表示部１０１はガラスやプラスチックなどの材料で形成されたフレーム外壁を有する。液晶表示部１０１の液晶画像表示面１０１１の液晶画像表示領域１０１２に、本体２が出力する画像データに基づく画像を表示する。液晶表示部１０１の液晶画像表示面１０１１に対する上面１０１４、右面１０１５、下面１０１６、左面１０１７の４つの側面（総称して液晶側面１０１３と呼ぶ）には所定の厚みがあり、側面ゴム１０３からの圧力を支持する。
【００１７】
筐体１０２は液晶表示部１０１を保護するためのケースである。筐体１０２は液晶画像表示面１０１１の液晶画像表示領域１０１２を除く部分と側面ゴム１０３を覆う。筐体１０２は、ヒンジ接合部２０１、液晶格納部２０２、ねじ穴２０３を備える。
【００１８】
ヒンジ接合部２０１は、本体２と連結してヒンジ３構成する部分である。
【００１９】
液晶格納部２０２は、筐体１０２の内側に設けられている。液晶格納部２０２の液晶側面１０１３と対面する面を筐体内側面１０２３とする。液晶格納部２０２は、液晶表示部１０１および側面ゴム１０３を格納する。
【００２０】
ねじ穴２０３は、ねじ１０４に対応した螺旋を有し、筐体１０２の外側と液晶格納部２０２側に貫通している。ねじ穴２０３は筐体内側面１０２３の４面各面それぞれに設けられ、液晶格納部２０２に格納される液晶側面１０１３に対して垂直になるような方向に伸びている。また、ねじ穴２０３は側面ゴム１０３の側面ゴム当接部１０３１の裏側の側面ゴム押圧部１０３２に面しており、ねじ１０４の押圧力が側面ゴム当接部１０３１に確実に伝わるようになっている。
【００２１】
側面ゴム１０３は液晶表示部１０１を囲う枠状に形成されている。側面ゴム１０３は液晶表示部１０１と筐体内側面１０２３の間に挿入され、筐体１０２に衝撃が加わったときに液晶表示部１０１に衝撃が伝わるのを防ぐ。側面ゴム１０３の液晶表示部１０１と対面する面には側面ゴム当接部１０３１が設けられており、すべての側面ゴム当接部１０３１が液晶表示部１０１と当接する。すべての側面ゴム当接部１０３１が当接するため液晶表示部１０１の揺動を防ぐことができる。また、すべての側面ゴム当接部１０３１が当接するため、衝撃力が加わったときに特定の側面ゴム当接部１０３１に応力が集中することを防ぐことができる。
【００２２】
隣り合う側面ゴム当接部１０３１同士の間には、側面ゴム当接部１０３１の変形を逃がす逃げ部１０３３を設けている。ねじ１０４の押圧力によって圧縮されて余った側面ゴム１０３の肉をここへ逃がすことによって、側面ゴム１０３の弾性を確保する。
【００２３】
ねじ１０４は筐体１０２のねじ穴２０３に筐体１０２の外側から螺嵌されている。
【００２４】
図３は、ねじ１０４と筐体１０２のねじ穴２０３の螺嵌部付近の断面図である。ねじ１０４の頭部１０４１は筐体１０２の外側に掘られた座繰り部１０２１の中に埋没する。埋没した頭部１０４１が筐体１０２の外から見えないように座繰り部１０２１にはシール１０２２が貼付される。
【００２５】
ねじ１０４のねじ先は側面ゴム１０３の側面ゴム押圧部１０３２と当接している。ねじ１０４が筐体１０２のねじ穴２０３へねじ込まれることによって、ねじ１０４が側面ゴム１０３を押圧し、側面ゴム１０３が筐体１０２と液晶側面１０１３の間で変形して復元力を生じ、すべての側面ゴム当接部１０３１が当接する。
【００２６】
仮に、液晶表示部１０１にねじ穴を設け、これに螺嵌するねじにより側面ゴム１０３に液晶表示部１０１からの引付力を作用させるような構成とすると、側面ゴム１０３に衝撃力が伝わるとこの衝撃力がねじに集中して伝わり液晶表示部１０１を破壊する恐れがある。
【００２７】
そのため、液晶表示部１０１からの引付力を側面ゴム１０３へ作用させるような構成によらず、側面ゴム１０３から液晶表示部１０１への押圧力を作用させる構成することで、衝撃力により液晶表示部１０１が破損するような事態を避けることができる。
【００２８】
図４は、液晶側面１０１３に平行な面における表示ユニット１００の断面図である。
【００２９】
筐体１０２は液晶画像表示面１０１１の液晶画像表示領域１０１２を除く部分を覆い、前面ゴム１０５を覆う。
【００３０】
液晶表示部１０１の液晶画像表示領域１０１２の周囲の部分は、後述する弾性体としての前面ゴム１０５からの圧力を支持する。
【００３１】
液晶画像表示面１０１１に対する液晶背面１０１８は、後述する弾性体としての背面ゴム１０８からの圧力を支持する。
【００３２】
液晶格納部２０２は前面ゴム１０５と背面ゴム１０８を格納する。液晶格納部２０２の液晶画像表示面１０１１と対面する面を筐体内前面１０２５とする。また、液晶背面１０１８と対面する面を筐体内背面１０２８とする。筐体内前面１０２５は、液晶画像表示領域１０１２と対応する部分が開口している。
【００３３】
筐体内前面１０２５のねじ穴２０３は、液晶格納部２０２に格納される液晶画像表示面１０１１に対して垂直になるような方向に伸びている。
【００３４】
筐体内背面１０２８のねじ穴２０３は、液晶表示部１０１が液晶格納部２０２に格納されるときに、液晶背面１０１８に対して垂直になるような方向に伸びている。
【００３５】
前面ゴム１０５は液晶画像表示面１０１１を支持するように形成されている。前面ゴム１０５の液晶画像表示領域１０１２と対応する部分は刳り貫かれている。前面ゴム１０５は液晶画像表示面１０１１と筐体内前面１０２５の間に挿入され、筐体１０２に衝撃が加わったときに液晶表示部１０１に衝撃が伝わるのを防ぐ。液晶表示部１０１と対面する面には前面ゴム当接部１０５１が設けられているおり、すべての前面ゴム当接部１０５１が液晶表示部１０１と当接する。すべての当接するため液晶表示部１０１の揺動を防ぐことができる。また、すべての前面ゴム当接部１０５１が当接するため、衝撃力が加わったときに特定の前面ゴム当接部１０５１に応力が集中することを防ぐことができる。また、前面ゴム当接部１０５１が設けられている面に対して裏側の面には、後述するねじ１０４の押圧力を受ける前面ゴム押圧部１０５２となっている。
【００３６】
背面ゴム１０８は液晶表示部１０１の液晶背面１０１８を支持するように形成されている。背面ゴム１０８は液晶背面１０１８と筐体内背面１０２８の間にあり、筐体１０２に衝撃が加わったときに液晶表示部１０１に衝撃が伝わるのを防ぐ。背面ゴム１０８の液晶背面１０１８と対面する面には背面ゴム当接部１０８１が設けられているおり、すべての背面ゴム当接部１０８１が液晶表示部１０１と当接する。すべての背面ゴム当接部１０８１が当接するため液晶表示部１０１の揺動を防ぐことができる。また、すべての背面ゴム当接部１０８１が当接するため、衝撃力が加わったときに特定の背面ゴム当接部１０８１に応力が集中することを防ぐことができる。また、背面ゴム１０８の背面ゴム当接部１０８１が設けられている面に対して裏側の面には、後述するねじ１０４の押圧力を受ける背面ゴム押圧部１０８２となっている。隣り合う背面ゴム当接部１０８１同士の間には、背面ゴム当接部１０８１の変形を逃がす逃げ部１０８３を設けている。ねじ１０４の押圧力によって圧縮されて余った背面ゴム１０８の肉をここへ逃がすことによって、背面ゴム１０８の弾性を確保する。
【００３７】
筐体内前面１０２５の４辺に対してそれぞれ平行に複数設けられるねじ穴２０３は、液晶格納部２０２に格納される液晶画像表示面１０１１に対して垂直になるような方向に伸びている。
【００３８】
ねじ１０４のねじ先は前面ゴム１０５の前面ゴム押圧部１０５２と当接し、ねじ穴２０３へねじ込まれることによって前面ゴム１０５を押圧し、前面ゴム１０５が筐体１０２の間で変形して復元力を生じ、液晶表示部１０１にすべての前面ゴム当接部１０５１が当接する。
【００３９】
筐体内背面１０２８に４辺に対してそれぞれ平行に複数設けられるねじ穴２０３は、液晶格納部２０２に格納される液晶背面１０１８に対して垂直になるような方向に伸びている。
【００４０】
ねじ１０４のねじ先は背面ゴム１０８の背面ゴム押圧部１０８２と当接し、ねじ穴２０３へねじ込まれることによって背面ゴム１０８と筐体１０２の間に押圧力を生じさせる。この押圧力によって液晶表示部１０１にすべての背面ゴム当接部１０８１が当接する。
【００４１】
このように弾性体としての側面ゴム１０３、前面ゴム１０５、背面ゴム１０８の側面ゴム当接部１０３１、前面ゴム当接部１０５１、背面ゴム当接部１０８１のすべてを液晶表示部１０１に当接させることで、衝撃吸収能力を十分に発揮させることができ、落下事故などで生じる衝撃力による液晶表示部の故障を防ぐことができる。
【００４２】
さらに、液晶画像表示面１０１１、液晶側面１０１３、液晶背面１０１８を各ゴムで弾性的に支持するので、液晶表示部１０１を支持するために剛体の支持具が不要であり、衝撃吸収能力を十分に発揮させることができ、落下事故などで生じる衝撃力による液晶表示部の故障を防ぐことができる。
【００４３】
また、各ゴムの挿入時に各ゴムを圧縮しなくてもよいので、組立作業が簡単である。
【００４４】
すなわち、簡単な組立作業でも、十分に衝撃を吸収することができ、落下事故などで生じる衝撃力による液晶表示部の故障を防ぐことができる。
【００４５】
なお、本実施の形態においては側面ゴム当接部１０３１同士の間に逃げ部１０３３を設けたが、側面ゴム１０３の弾性を十分に確保でき、ねじ１０４の押圧力によって圧縮されて余った肉を逃がす必要なければ、図５、図６、図７のように、逃げ部１０３３を設けない構成としてもよい。
【００４６】
（第２の実施の形態）
図８を用いて、ノートパソコン１の表示ユニット１００の第２の実施の形態について説明する。
【００４７】
図８は液晶画像表示面１０１１に平行な面における表示ユニット１００の断面図である。図２と同じ構成である部分については説明を省略する。
【００４８】
本実施の形態では、筐体１０２はねじ穴２０３を有しないが、筐体１０２の液晶格納部２０２内に係合部材としてのフレーム２０４を配置し、これにねじ穴２０３を設けてある。
【００４９】
フレーム２０４はマグネシウム合金やアルミ合金などの軽金属製であることが好ましい。フレーム２０４は、筐体１０２の液晶格納部２０２と面する側のフレーム外壁２０４４と、液晶表示部１０１と面する側のフレーム内壁２０４５とを有する。フレーム２０４のフレーム内壁２０４５が形成するフレーム液晶格納部２０４２は、液晶表示部１０１および側面ゴム１０３を格納する。
【００５０】
フレーム内壁２０４５はねじ穴２０３を有する。フレーム２０４が有するねじ穴２０３は、ねじ１０４に対応した螺旋を有し、フレーム２０４のフレーム内壁２０４５を貫通している。ねじ穴２０３はフレーム２０４の側面の４面各面それぞれに設けられ、フレーム液晶格納部２０４２に格納される液晶側面１０１３に対して垂直になるような方向に伸びている。また、ねじ穴２０３は側面ゴム１０３の側面ゴム当接部１０３１の裏側の側面ゴム押圧部１０３２に面し、ねじ１０４の押圧力が側面ゴム当接部１０３１に確実に伝わるようになっている。
【００５１】
側面ゴム１０３は液晶表示部１０１を囲う枠状に形成されている。側面ゴム１０３は液晶表示部１０１とフレーム液晶格納部２０４２の間に挿入され、筐体１０２に衝撃が加わったときに、フレーム２０４を介して液晶表示部１０１に衝撃が伝わるのを防ぐ。側面ゴム１０３の液晶表示部１０１と対面する面には側面ゴム当接部１０３１である。側面ゴム当接部１０３１が液晶表示部１０１と当接し、液晶表示部１０１の揺動を防ぐことができる。
【００５２】
ねじ１０４はフレーム２０４のねじ穴２０３にフレーム液晶格納部２０４２の外側から螺嵌されている。
【００５３】
図９は、ねじ１０４とフレーム２０４のねじ穴２０３の螺嵌部付近の断面図である。ねじ１０４の頭部１０４１はフレーム２０４のフレーム内壁２０４５の外側とフレーム外壁２０４４の内側との間に位置するので、筐体１０２の外へ突出しない。
【００５４】
ねじ１０４のねじ先は側面ゴム１０３の側面ゴム押圧部１０３２と当接している。ねじ１０４が筐体１０２のねじ穴２０３へねじ込まれることによって、ねじ１０４が側面ゴム１０３を押圧し、側面ゴム１０３が筐体１０２と液晶側面１０１３の間で変形して復元力を生じ、すべての側面ゴム当接部１０３１が当接する。
【００５５】
側面ゴム１０３から液晶表示部１０１への押圧力を作用させる構成することで、衝撃力により液晶表示部１０１が破損するような事態を避けることができる。
【００５６】
このように、筐体１０２とは別体のフレーム２０４に液晶表示部１０１を格納する構成とすれば、ねじ１０４をねじ込む作業の際に誤って筐体１０２を傷つけることもない。また、筐体１０２が樹脂などで形成されている場合に、ねじ１０４をねじ込む作業において誤ってねじ穴２０３の山を破損してしまっても、筐体１０２自体を交換する必要はなくなる。
【００５７】
（第３の実施の形態）
図１０、図１１を用いて、ノートパソコン１の表示ユニット１００の第３の実施の形態について説明する。
【００５８】
図１０は液晶画像表示面１０１１に平行な面における表示ユニット１００の断面図である。図２と同じ構成である部分については説明を省略する。
【００５９】
本実施の形態では、筐体内側面１０２３の４面のうち、液晶上面１０１４に対向する面と液晶左面１０１７に対向する面にのみにねじ穴２０３が設けられる。すなわち、互いに表裏の関係を為す液晶左面１０１７と液晶右面１０１５の２面のうち液晶左面１０１７の１面のみが、ねじ穴２０３と対向する。また、互いに表裏の関係を為す液晶上面１０１４と液晶下面１０１６の２面のうち液晶上面１０１４の１面のみが、ねじ穴２０３と対向する。
【００６０】
ねじ１０４は筐体１０２のねじ穴２０３に筐体１０２の外側から螺嵌されている。ねじ１０４のねじ先は側面ゴム１０３の側面ゴム押圧部１０３２と当接しており、筐体１０２のねじ穴２０３へねじ込まれることによって側面ゴム１０３を押圧し、側面ゴム１０３が筐体１０２と液晶側面１０１３の間で変形して復元力を生じ、側面ゴム当接部１０３１が液晶左面１０１７に当接する。液晶表示部１０１が側面ゴム１０３に押圧されて、反対側の液晶右面１０１５が側面ゴム１０３の側面ゴム当接部１０３１に当接する。側面ゴム１０３が、液晶右面１０１５に押圧されて筐体内側面１０２３に当接する。
【００６１】
図１１は、液晶左面１０１７に平行な面における表示ユニット１００の断面図である。図４と同じ構成である部分については説明を省略する。
【００６２】
本実施の形態では、筐体内前面１０２５のねじ穴２０３はない。筐体内背面１０２８のねじ穴２０３は、液晶格納部２０２に格納される液晶表示部１０１の背面１０１８に対して垂直になるような方向に伸びている。すなわち、互いに表裏の関係を為す液晶画像表示面１０１１と液晶背面１０１８の２面のうち液晶背面１０１８の１面のみが、ねじ穴２０３と対向する
ねじ１０４のねじ先は背面ゴム１０８と当接し、筐体１０２のねじ穴２０３へねじ込まれることによって、ねじ１０４が背面ゴム１０８を押圧し、背面ゴム１０８が筐体１０２と液晶背面１０１８の間で変形して復元力を生じ、すべての背面ゴム当接部１０８１が当接する。液晶表示部１０１が背面ゴム１０８に押圧されて、液晶画像表示面１０１１で前面ゴム１０５の前面ゴム当接部１０５１に当接する。前面ゴム１０５が液晶表示部１０１に押圧されて、すべての前面ゴム当接部１０５１で当接する。
【００６３】
このように表裏を為す液晶表示部１０１の２面のうち１面のみがねじ１０４に対向する構成とすることで、筐体１０２に対する液晶表示部１０１の位置きめが簡単になる。また、筐体１０２の構造を簡略にすることができる。
【００６４】
（第４の実施の形態）
図１２を用いて、ノートパソコン１の表示ユニット１００の第４の実施の形態について説明する。
【００６５】
図１２は液晶画像表示面１０１１に平行な面における表示ユニット１００の断面図である。図２と同じ構成である部分については説明を省略する。
【００６６】
本実施の形態では、液晶表示部１０１とねじ１０４の間に挿入される前の時点では側面ゴム１０３は一本の帯状に形成されている。側面ゴム１０３は、液晶格納部２０２の角に対応する箇所に切欠きが設けられ、折り曲げやすく形成されている。側面ゴム１０３は液晶表示部１０１と筐体１０２の間に、側面ゴム１０３は液晶格納部２０２の角で折り曲げられつつ挿入されることで、側面ゴム１０３は液晶画像表示部１０１の側面１０１３の４面と当接する。すなわち、側面ゴム１０３の長さは液晶表示部の側面１０１３の４面に接する長さに形成されている。本実施の形態では、液晶表示部１０１と本体２との接続配線などを通すために、液晶表示部の下面１０１６と筐体内側面１０２３の間に側面ゴム１０３の長手方向の両端部が配置され、両端部の間に空間が設けられている。この空間は、ねじ１０４の押圧による側面ゴム１０３の変形を逃がす役割も持つ。
【００６７】
このように側面ゴム１０３を、液晶画像表示面１０１１の４辺と当接する長さの一本の帯状とすれば、成形が簡単である。
【００６８】
同様に、液晶画像表示面１０１１と液晶上面１０１４と液晶背面１０１８と液晶下面１０１６に当接するような構成や、液晶画像表示面１０１１と液晶左面１０１７と液晶背面１０１８と液晶右面１０１５と当接するような構成として、それぞれの面と当接し得る長さの弾性体部品を、液晶表示部に当接する弾性体として用いてもよい。
【００６９】
（第５の実施の形態）
図１３を用いて、ノートパソコン１の表示ユニット１００の第５の実施の形態について説明する。
【００７０】
図１３は液晶画像表示面１０１１に平行な面における表示ユニット１００の断面図である。図２と同じ構成である部分については説明を省略する。
【００７１】
本実施の形態では、側面ゴム１０３は、液晶側面１０１３の４面それぞれに１本ずつ接触するよう、４本の帯として形成されている。側面ゴム１０３は液晶表示部１０１と筐体内側面１０２３の間の４箇所にそれぞれ挿入される。
【００７２】
これら側面ゴム１０３はそれぞれ、筐体内側面１０２３の４面各面それぞれに設けられるねじ穴２０３に螺嵌されるねじ１０４に押圧される。
【００７３】
このように側面ゴム１０３を、液晶側面１０１３の４面各面に対応して独立した帯４本とすれば、側面ゴム１０３の成形が簡単である。
【００７４】
（第６の実施の形態）
図１４〜図１６を用いて、ノートパソコン１の表示ユニット１００の第６の実施の形態について説明する。
【００７５】
図１４は液晶画像表示面１０１１の側から見た、液晶画像表示面１０１１に平行な面における表示ユニット１００の断面図である。図２と同じ構成である部分については説明を省略する。
【００７６】
本実施の形態では、側面ゴム１０３が、液晶側面１０１３の４面と筐体内側面１０２３の間の４本の隙間それぞれに４本ずつ挿入される。
【００７７】
筐体内側面１０２３の互いに隣り合う２面それぞれに設けられるねじ穴２０３は、液晶格納部２０２に格納される液晶側面１０１３に対して垂直になるような方向に伸びている。また、ねじ穴２０３それぞれは、１辺に挿入される４本の側面ゴム１０３それぞれの側面ゴム当接部１０３１の裏側に面しており、ねじ１０４の押圧力が側面ゴム当接部１０３１に確実に伝わるようになっている。
【００７８】
筐体内側面１０２３の２面に設けられたねじ穴２０３それぞれにねじ１０４が筐体１０２の外側から螺嵌されている。ねじ１０４それぞれのねじ先は、各辺に４つずつ挿入される側面ゴム１０３それぞれの側面ゴム押圧部１０３２と当接している。
【００７９】
図１５は液晶背面１０１８の側から見た、液晶画像表示面１０１１に平行な面における表示ユニット１００の断面図である。図２と同じ構成である部分については説明を省略する。また図１６は液晶側面１０１３に平行な面における表示ユニット１００の断面図である。図１１と同じ構成である部分については説明を省略する。
【００８０】
本実施の形態では、１６本の背面ゴム１０８が、液晶背面１０１８と筐体内背面１０２８の間に、液晶表示部１０１の４辺それぞれに沿って４本ずつ挿入される。
【００８１】
筐体内背面１０２８の４辺各辺に設けられたねじ穴２０３それぞれにねじ１０４が筐体１０２の外側から螺嵌されている。ねじ１０４それぞれのねじ先は、１６本の背面ゴム１０８の背面ゴム押圧部１０８２それぞれと当接している。
【００８２】
このように、側面ゴム１０３を、液晶表示部１０１の所定の１面とこれに対面する液晶格納部２０２の１面の間に複数本あるような構成とすれば、製造する際の歩留まりがよい。
【００８３】
（第７の実施の形態）
図１７、１８を用いて、ノートパソコン１の表示ユニット１００の第７の実施の形態について説明する。
【００８４】
図１７は側背面ゴム１０９の斜視図である。側背面ゴム１０９は、第６の実施の形態における側面ゴム１０３と背面ゴム１０８を一体として成型したものである。液晶表示部１０１と筐体１０２の間に、側面ゴム１０３および背面ゴム１０８の代わりに設置される。
【００８５】
側背面ゴム１０９は筐体内側面１０２３および筐体内背面１０２８から突き出したねじ１０４と当接し押圧される。
【００８６】
このように、液晶側面１０１３を支持する側面ゴム１０３と液晶背面１０１８を支持する背面ゴム１０８を一体として形成し、液晶側面１０１３と液晶背面１０１８に当接させることで、部品点数を減らすことができ、効率的に組み立て作業を進めることができる。
【００８７】
本実施の形態では側面ゴム１０３と背面ゴム１０８を一体として形成するとしたが、前面ゴム１０５と側面ゴム１０３を一体成型としてもよい。
【００８８】
（第８の実施の形態）
図１９を用いて、ノートパソコン１の表示ユニット１００の第９の実施の形態について説明する。
【００８９】
図１９は、液晶表示部１０１と緩衝ゴム１１０の斜視図である。緩衝ゴム１１０は、液晶画像表示面１０１１と液晶背面１０１８の縁部および液晶側面１０１３を包むようにコの字型に形成されている。液晶表示部１０１と筐体１０２の間に、前面ゴム１０５と側面ゴム１０３と背面ゴム１０８の代わりに設置される。緩衝ゴム１１０は液晶格納部２０２の各面に螺嵌されるねじ１０４によって押圧され、液晶表示部１０１に当接する。
【００９０】
緩衝ゴム１１０は、第１の実施の形態の側面ゴム１０３、前面ゴム１０５、背面ゴム１０８と置き換えるのであれば、筐体内側面１０２３、筐体内前面１０２５、筐体内背面１０２８から突き出したねじ１０４と当接する。また、第３の実施の形態で置き換えるのであれば、筐体内側面１０２３と筐体内背面１０２８から突き出たねじ１０４と当接し、筐体内前面１０２５と当接する。
【００９１】
このように弾性体としての緩衝ゴム１１０を、液晶画像表示面１０１１と液晶背面１０１８および液晶側面１０１３を包むようにコの字型に形成することで、部品点数を減らすことができ、効率的に組み立て作業を進めることができる。
【００９２】
（第９の実施の形態）
図２０、図２１を用いて、ノートパソコン１の表示ユニット１００の第１０の実施の形態について説明する。
【００９３】
図２０は、液晶画像表示面１０１１に平行な面における表示ユニット１００の断面図である。図２と同じ構成である部分については説明を省略する。
【００９４】
側面ゴム１０３とねじ１０４の間に、中間部材としての金属製の当て金１１１が配置される。
【００９５】
図２１は、ねじ１０４と筐体１０２のねじ穴２０３の螺嵌部付近の断面図である。
【００９６】
ねじ１０４のねじ先は当て金１１１と当接する。また、当て金１１１は側面ゴム１０３と当接する。筐体１０２のねじ穴２０３へねじ込まれることによって当て金１１１と筐体１０２の間に押圧力を生じさせる。この押圧力によって側面ゴム１０３が押圧されてすべての側面ゴム当接部１０３１が液晶側面１０１３に当接する。
【００９７】
金属でできた当て金１１１でねじ１０４のねじ先を受けることで、ねじ先から受ける力を分散させて側面ゴム１０３へ伝えることができ、側面ゴム１０３が傷つくのを防ぐことができる。
【００９８】
なお、当て金１１１は液晶表示部１０１の側面に当てるものだけでなく、前面に当てるものや背面に当てるものを設けてもよい。
【００９９】
（第１０の実施の形態）
図２２、図２３を用いて、ノートパソコン１の表示ユニット１００の第１１の実施の形態について説明する。
【０１００】
図２２は、液晶画像表示面１０１１に平行な面における表示ユニット１００の断面図である。図２と同じ構成である部分については説明を省略する。
【０１０１】
側面ゴム１０３の側面ゴム押圧部１０３２と筐体内側面１０２３の間に、液晶側面１０１３の４面それぞれの長手方向とほぼ等しい長さの長手方向長さを有する板状金属製の当て金１１２がそれぞれ１枚ずつ、合計４枚配置される。
【０１０２】
図２３は、ねじ１０４とねじ穴２０３の螺嵌部付近の断面図である。ねじ１０４のねじ先は当て金１１２と当接する。また、当て金１１２は側面ゴム１０３の側面ゴム押圧部１０３２と当接する。筐体１０２のねじ穴２０３へねじ込まれることによって、当接している当て金１１２が側面ゴム１０３を押圧する。この押圧力によって側面ゴム１０３が変形して復元力を生じ、側面ゴム当接部１０３１が当接する。
【０１０３】
金属でできた当て金１１２で、ねじ１０４のねじ先を受け、側面ゴム１０３の側面ゴム押圧部１０３２を広く押圧する。そのため、ねじ先から受ける力を側面ゴム１０３の当接部１０３２の広い範囲に分散させて伝えることができ、側面ゴム１０３を液晶側面１０１３に当接させることができる。
【０１０４】
なお、当て金１１２は液晶側面１０１３に当てるものだけでなく、液晶画像表示面１０１１に当てるものや液晶背面１０１８に当てるものを設けてもよい。
【０１０５】
（第１１の実施の形態）
図２４、図２５を用いて、ノートパソコン１の表示ユニット１００の第１２の実施の形態について説明する。
【０１０６】
図２４は液晶側面１０１３に平行な面の表示ユニット１００の断面図で、側面ゴム１０３が液晶表示部１０１に当接していない状態を示す。
【０１０７】
ねじ１０４のねじ先を受ける当て金１１３は、液晶画像表示面１０１１に垂直な方向において、液晶側面１０１３の長さよりも長く形成されている。また、同方向における両端部は側面ゴム１０３と当接する側に曲がっており、側面ゴム１０３の向こう側の液晶表示部１０１に被さるような形状になっている。
【０１０８】
側面ゴム１０３は帯状になっており、帯断面の長辺にあたる側面ゴム当接部１０３１面が液晶側面１０１３に当たるように配置される。
【０１０９】
図２５は、側面ゴムと液晶表示部が当接している状態を示す。
【０１１０】
両端部が曲がっている当て金１１３によって押圧された側面ゴム１０３は液晶表示部１０１との間で、当て金１１３および液晶側面１０１３に沿って変形し、両者に当接する。
【０１１１】
側面ゴム１０３が変形して液晶表示部１０１の外縁部を包み込むようになり、液晶画像表示面１０１１および液晶背面１０１８の方向の力も受けることができるようになる。そのため、液晶画像表示面１０１１および液晶背面１０１８の方向の力を受けるための構成をなくすあるいは簡略化することで部品点数を減らすことができ、効率的に組み立て作業を進めることができる。
【０１１２】
（第１２の実施の形態）
図２６、図２７を用いて、ノートパソコン１の表示ユニット１００の第１２の実施の形態について説明する。
【０１１３】
図２６は液晶画像表示面１０１１に平行な面における表示ユニット１００の断面図である。図２と同じ構成である部分については説明を省略する。
【０１１４】
本実施の形態における表示ユニット１００は、ねじ１０４の代わりに押圧部材としての板ばね３００を備える。また、表示ユニット１００の液晶格納部２０２は筐体内側面１０２３に複数の板ばね取付部３０２を有する。
【０１１５】
板ばね３００は、液晶表示部１０１に側面ゴム１０３の側面ゴム当接部１０３１を当接させるのに十分な弾性力を有し、筐体１０２に設けられた板ばね取付部３０２に圧入される。圧入された板ばね３００が板ばね取付部３０２から突出する部分が側面ゴム１０３の側面ゴム押圧部１０３２と当接し、側面ゴム１０３を押圧する。この押圧力によって側面ゴム１０３の当接部１０３２が押圧されて、側面ゴム１０３の側面ゴム当接部１０３１と液晶側面１０１３を当接させる。
【０１１６】
板ばね取付部３０２は筐体内側面１０２３に複数設けられており、側面ゴム１０３と対面する側と筐体内前面１０２５側に開口部を持つ。板ばね３００を格納し、板ばね３００の力を受ける。
【０１１７】
図２７は表示ユニット１００を分解した斜視図である。筐体１０２は、筐体本体１０２７と筐体蓋１０２９とに分割して形成されている。筐体本体１０２７は液晶側面１０１３および液晶背面１０１８を覆うよう形成されている。筐体蓋１０２９は液晶画像表示面１０１１の液晶画像表示領域１０１２以外の部分を覆うために、部分的に刳り貫かれて形成されている。
【０１１８】
筐体内側面１０２３の各面に板ばね取付部３０２が設けられている。各板ばね取付部３０２には板ばね３００が挿入される。
【０１１９】
また筐体内背面１０２８にも、板ばね３００を格納するための板ばね取付部３０２が設けられている。
【０１２０】
筐体内背面１０２８の板ばね取付部３０２に板ばね３００を圧入した上に、背面ゴム１０８、液晶表示部１０１の順で載せ、側面ゴム１０３を液晶表示部１０１と筐体１０２の間に挿入したあとで、筐体内前面１０２５側が開口している筐体内側面１０２３の板ばね取付部３０２へ板ばね３００を圧入する。
【０１２１】
筐体内側面１０２３の板ばね取付部３０２へ板ばね３００を挿入したあとで、液晶表示部１０１に前面ゴム１０５を載せて筐体蓋１０２９で筐体本体１０２７に蓋をする。
【０１２２】
ねじ１０４のかわりに板ばね３００を用いることで、ねじ１０４をねじ込む作業をなくすことができ、作業ミスによる液晶表示部１０１の破損を防ぐことができ、さらに効率的に組み立て作業を進めることができる。
【０１２３】
また、液晶表示部１０１と側面ゴム１０３を筐体本体１０２７に載せたあとで板ばね３００を圧入する構成としたことで、効率的に組み立て作業を進めることができる。
【０１２４】
また、先に板ばね３００を筐体内背面１０２８の板ばね取付部３０２に圧入したあとで背面ゴム１０８、液晶表示部１０１、前面ゴム１０５を載せた上から筐体蓋１０２９で筐体本体１０２７に蓋をする構成としたことで、液晶背面１０１８に背面ゴム１０８を当接させることができ、かつ液晶画像表示面１０１１に前面ゴム１０５を当接させることができ、さらに効率的に組み立て作業を進めることができる。
【０１２５】
なお、本実施の形態では弾性体をゴムとして説明したが、これに限らず、ウレタンなどの発泡成形材やその他公知の弾性体を用いることができる。
【０１２６】
また、押圧部材として板ばねを挙げたが、これに限らず、公知の弾性部材を用いることができる。
【０１２７】
また、当て金１１１、１１２を金属製としたが、これに限らず、ねじ１０４や板ばね３００の押圧力を十分に受けることができる材料を用いることができる。
【０１２８】
また、ねじ穴を筐体１０２やフレーム２０４に直接設けるとして説明したが、例えば図２８のように、ねじ穴部材２０３１を別途設けてこれを金属製とし、押圧力をその鍔部分で拡散して筐体１０２やフレーム２０４に伝達するようにすれば、筐体１０２やフレーム２０４が樹脂などで形成される場合であっても、ねじ山を損なうことなく十分な押圧力を得ることができる。
【０１２９】
また、本実施の形態では情報端末をノートパソコンとして説明したが、これに限らず、携帯電話、時計、その他携帯型情報端末、さらに携帯用に限らず、液晶表示装置を備えるあらゆるものにおいて本発明を利用することができる。
【図面の簡単な説明】
【０１３０】
【図１】ノートパソコンの斜視図。
【図２】第１の実施の形態における液晶画像表示面に平行な面での表示ユニットの断面図。
【図３】第１の実施の形態におけるねじと筐体のねじ穴の螺嵌部付近の断面図。
【図４】第１の実施の形態における液晶側面に平行な面での表示ユニットの断面図。
【図５】第１の実施の形態において逃げ部がない場合の液晶画像表示面に平行な面での表示ユニットの断面図。
【図６】第１の実施の形態において逃げ部がない場合のねじと筐体のねじ穴の螺嵌部付近の断面図。
【図７】第１の実施の形態において逃げ部がない場合の液晶側面に平行な面での表示ユニットの断面図。
【図８】第２の実施の形態における液晶画像表示面に平行な面での表示ユニットの断面図。
【図９】第２の実施の形態におけるねじと筐体のねじ穴の螺嵌部付近の断面図。
【図１０】第３の実施の形態における液晶画像表示面に平行な面での表示ユニットの断面図。
【図１１】第３の実施の形態における液晶側面に平行な面での表示ユニットの断面図。
【図１２】第４の実施の形態における液晶画像表示面に平行な面での表示ユニットの断面図。
【図１３】第５の実施の形態における液晶画像表示面に平行な面での表示ユニットの断面図。
【図１４】第６の実施の形態における液晶画像表示面に平行な面での表示ユニットの断面図。
【図１５】第６の実施の形態における、液晶背面の側から見た、液晶画像表示面に平行な面での表示ユニットの断面図。
【図１６】第６の実施の形態における液晶側面に平行な面における表示ユニットの断面図。
【図１７】第７の実施の形態における表示ユニットの斜視断面図。
【図１８】第７の実施の形態における液晶側面に平行な面における表示ユニットの断面図。
【図１９】第８の実施の形態における液晶表示部と緩衝ゴムの斜視図。
【図２０】第９の実施の形態における液晶画像表示面に平行な面における表示ユニットの断面図。
【図２１】第９の実施の形態におけるねじと筐体のねじ穴の螺嵌部付近の断面図。
【図２２】第１０の実施の形態における液晶画像表示面に平行な面における表示ユニットの断面図。
【図２３】第１０の実施の形態におけるねじと筐体のねじ穴の螺嵌部付近の断面図。
【図２４】第１１の実施の形態における、側面ゴムと液晶表示部が当接していない状態の、液晶側面に平行な面の表示ユニットの断面図。
【図２５】第１１の実施の形態における、側面ゴムと液晶表示部が当接している状態の、液晶側面に平行な面の表示ユニットの断面図。
【図２６】第１２の実施の形態における液晶画像表示面に平行な面における表示ユニットの断面図。
【図２７】第１２の実施の形態における表示ユニットを分解した斜視図。
【図２８】ねじ穴部材を設ける場合のねじとねじ穴部材の螺嵌部付近の断面図。
【符号の説明】
【０１３１】
１００・・・表示ユニット
１０１・・・液晶表示部
１０２・・・筐体
１０３・・・側面ゴム
１０４・・・ねじ
１０５・・・前面ゴム
１０８・・・背面ゴム
１０９・・・側背面ゴム
１１０・・・緩衝ゴム
１１１、１１２、１１３・・・当て金
２０３・・・ねじ穴
３００・・・板ばね
【図１】
2006091710.tif 000003
【図２】
2006091710.tif 000004
【図３】
2006091710.tif 000005
【図４】
2006091710.tif 000006
【図５】
2006091710.tif 000007
【図６】
2006091710.tif 000008
【図７】
2006091710.tif 000009
【図８】
2006091710.tif 000010
【図９】
2006091710.tif 000011
【図１０】
2006091710.tif 000012
【図１１】
2006091710.tif 000013
【図１２】
2006091710.tif 000014
【図１３】
2006091710.tif 000015
【図１４】
2006091710.tif 000016
【図１５】
2006091710.tif 000017
【図１６】
2006091710.tif 000018
【図１７】
2006091710.tif 000019
【図１８】
2006091710.tif 000020
【図１９】
2006091710.tif 000021
【図２０】
2006091710.tif 000022
【図２１】
2006091710.tif 000023
【図２２】
2006091710.tif 000024
【図２３】
2006091710.tif 000025
【図２４】
2006091710.tif 000026
【図２５】
2006091710.tif 000027
【図２６】
2006091710.tif 000028
【図２７】
2006091710.tif 000029
【図２８】
2006091710.tif 000030